【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
コンテンツソースと通信する情報システムとともに使用するために適したユーザインターフェースシステムであって、
上記ユーザインターフェースシステムは、
パーソナルメディアデバイスと上記情報システムとの間の無線通信をサポートする無線アクセスポイントと、
上記パーソナルメディアデバイスから利用可能な視聴コンテンツを提示のために選択し、かつ上記選択された視聴コンテンツの提示を制御するユーザ制御システムと、
上記選択された視聴コンテンツを提示する提示システムと、
インターフェースシステムハウジングとを備え、
上記無線アクセスポイント、上記ユーザ制御システム、及び上記提示システムのそれぞれは、上記インターフェースシステムハウジング上に設けられ、
上記パーソナルメディアデバイスと上記情報システムとが上記無線アクセスポイントを介して通信するとき、上記パーソナルメディアデバイスは、上記パーソナルメディアデバイスの認証を必要とせずに上記情報システムに統合され、かつ上記提示システムは、上記選択された視聴コンテンツを選択可能に提示し、かつ視聴コンテンツは、上記コンテンツソースから利用可能であるユーザインターフェースシステム。
【請求項２】
上記ユーザ制御システム及び上記提示システムは、タッチスクリーン表示システムに少なくとも部分的に統合される請求項１記載のユーザインターフェースシステム。
【請求項３】
上記パーソナルメディアデバイスの動作は、上記ユーザ制御システムによって制御される請求項１記載のユーザインターフェースシステム。
【請求項４】
上記提示システムは、オーディオ通信コネクタシステムを含む請求項１記載のユーザインターフェースシステム。
【請求項５】
上記オーディオ通信コネクタシステムは、分離型通信コネクタシステムを含む請求項４記載のユーザインターフェースシステム。
【請求項６】
上記分離型通信コネクタシステムは、周辺機器オーディオ提示システムの周辺機器通信コネクタと協働するシステム通信コネクタを含む請求項５記載のユーザインターフェースシステム。
【請求項７】
上記周辺機器オーディオ提示システムは、ヘッドホン、スピーカ、及び増幅器からなる周辺機器のグループから選択される請求項６記載のユーザインターフェースシステム。
【請求項８】
上記周辺機器オーディオ提示システムは、電力供給される周辺機器オーディオ提示システムを備え、かつ
動作電力は、上記電力供給される周辺機器オーディオ提示システムに上記システム通信コネクタを介して提供される請求項６記載のユーザインターフェースシステム。
【請求項９】
上記電力供給される周辺機器オーディオ提示システムは、雑音除去ヘッドホンである請求項８記載のユーザインターフェースシステム。
【請求項１０】
上記システム通信コネクタは、複数のシステム接点とシステム磁石システムとを含み、
上記システム接点は、上記周辺機器通信コネクタの複数の周辺機器接点と協働し、
上記システム磁石システムは、上記周辺機器通信コネクタの周辺機器磁石システムとの磁気的な接続を提供する請求項６記載のユーザインターフェースシステム。
【請求項１１】
上記システム接点は、システムプリント回路基板上に設けられ、
上記周辺機器接点は、周辺機器プリント回路基板上に設けられる請求項１０記載のユーザインターフェースシステム。
【請求項１２】
上記システム磁石システムは、上記システム接点の周りに設けられ、
上記周辺機器磁石システムは、上記周辺機器接点の周りに設けられる請求項１１記載のユーザインターフェースシステム。
【請求項１３】
上記ビデオ提示システムは、利用可能な視聴コンテンツのメニュー構成を上記パーソナルメディアデバイスから受信しかつ提示し、
上記ユーザ制御システムは、上記選択された視聴コンテンツを上記メニュー構成を介して選択する請求項１記載のユーザインターフェースシステム。
【請求項１４】
上記パーソナルメディアデバイスは、パーソナルメディアデバイス、ラップトップコンピュータ、パームトップコンピュータ、パーソナルデジタルアシスタント、携帯電話、ＭＰＥＧオーディオレイヤ３（ＭＰ３）デバイス、ｉＰｈｏｎｅ（登録商標）デジタル電子メディアデバイス、及びｉＰｏｄ（登録商標）デジタル電子メディアデバイスからなるデバイスのグループから選択される請求項１記載のユーザインターフェースシステム。
【請求項１５】
無線アクセスポイントを有する情報システムとともに使用するために適したパーソナルメディアデバイスであって、
上記無線アクセスポイントを介する上記情報システムとの通信をサポートする無線通信ポートと、
上記情報システムから利用可能な視聴コンテンツを選択し、かつ上記選択された視聴コンテンツの提示を制御するユーザ制御システムと、
上記選択された視聴コンテンツを提示するコンテンツ提示システムとを備え、
上記パーソナルメディアデバイスが上記無線アクセスポイントの所定の範囲内に配置されるとき、上記情報システムは、上記パーソナルメディアデバイスの認証を必要とせずに上記パーソナルメディアデバイスとの無線通信を確立し、かつ上記パーソナルメディアデバイスは、上記パーソナルメディアデバイスの認証を必要とせずに上記情報システムに統合され、かつ上記コンテンツ提示システムは、上記選択された視聴コンテンツを選択可能に提示し、かつ視聴コンテンツは、上記情報システムから利用可能であるパーソナルメデ
ィアデバイス。
【請求項１６】
上記無線通信ポートは、ワイヤレスフィデリティ（Ｗｉ−Ｆｉ）プロトコル、及び無線メトロポリタンエリアネットワーク（ＭＡＮ）プロトコルからなる無線プロトコルのグループから選択される無線通信プロトコルをサポートする請求項１５記載のパーソナルメディアデバイス。
【請求項１７】
上記ユーザ制御システムは、上記パーソナルメディアデバイスから利用可能なデバイス視聴コンテンツを選択し、かつ上記選択されたデバイス視聴コンテンツの提示を制御し、
上記コンテンツ提示システムは、上記選択されたデバイス視聴コンテンツを提示する請求項１５記載のパーソナルメディアデバイス。
【請求項１８】
上記コンテンツ提示システムは、上記パーソナルメディアデバイスのホームページを提示する請求項１５記載のパーソナルメディアデバイス。
【請求項１９】
上記パーソナルメディアデバイスと上記情報システムとが通信するとき、上記パーソナルメディアデバイスの上記ホームページは、上記情報システムによって提供されるホームページコンテンツに変更される請求項１８記載のパーソナルメディアデバイス。
【請求項２０】
上記パーソナルメディアデバイスは、ラップトップコンピュータ、パームトップコンピュータ、パーソナルデジタルアシスタント、携帯電話、ＭＰＥＧオーディオレイヤ３（ＭＰ３）デバイス、ｉＰｈｏｎｅ（登録商標）デジタル電子メディアデバイス、及びｉＰｏｄ（登録商標）デジタル電子メディアデバイスからなるデバイスのグループから選択される請求項１５記載のパーソナルメディアデバイス。
【請求項２１】
パーソナルメディアデバイスを無線アクセスポイントを有する情報システムに統合するための方法であって、
上記方法は、
上記無線アクセスポイントを介する上記情報システムとの通信をサポートする無線通信ポートを有する上記パーソナルメディアデバイスと、上記情報システムから利用可能な視聴コンテンツを選択するユーザ制御システムと、上記選択された視聴コンテンツを提示するコンテンツ提示システムとを提供することを含み、
上記ユーザ制御システムは、上記選択された視聴コンテンツの提示を制御し、
上記方法は、
上記パーソナルメディアデバイスが上記無線アクセスポイントの所定の範囲内に配置されるとき、
上記パーソナルメディアデバイスの認証を必要とせずに上記パーソナルメディアデバイスと上記情報システムとの間の無線通信を確立することと、
上記パーソナルメディアデバイスを上記情報システムに統合することと、
上記コンテンツ提示システムが上記選択された視聴コンテンツを選択可能に提示することを可能にすることとを含み、
視聴コンテンツは、上記ユーザ制御システムを介して上記パーソナルメディアデバイスから利用可能である方法。
【請求項２２】
上記パーソナルメディアデバイスを提供することは、ラップトップコンピュータ、パームトップコンピュータ、パーソナルデジタルアシスタント、携帯電話、ＭＰＥＧオーディオレイヤ３（ＭＰ３）デバイス、ｉＰｈｏｎｅ（登録商標）デジタル電子メディアデバイス、ｉＰｏｄ（登録商標）デジタル電子メディアデバイスからなるデバイスのグループから選択される上記パーソナルメディアデバイスを提供することを含む請求項２１記載の方法。
【請求項２３】
上記ユーザ制御システムを介して上記パーソナルメディアデバイスから利用可能なデバイス視聴コンテンツを選択することと、
上記選択されたデバイス視聴コンテンツを上記コンテンツ提示システムを介して提示することと、
上記選択されたデバイス視聴コンテンツの提示を上記ユーザ制御システムを介して制御することとをさらに含む請求項２１記載の方法。
【請求項２４】
上記無線通信を確立することは、ワイヤレスフィデリティ（Ｗｉ−Ｆｉ）プロトコル、及び無線メトロポリタンエリアネットワーク（ＭＡＮ）プロトコルからなる無線プロトコルのグループから選択される上記無線通信を確立することを含む請求項２１記載の方法。
【請求項２５】
上記パーソナルメディアデバイスを上記情報システムに統合することは、
利用可能な視聴コンテンツのメニュー構成を上記パーソナルメディアデバイスから受信しかつ提示することと、
上記ユーザ制御システムが上記選択された視聴コンテンツを上記メニュー構成を介して選択することを可能にすることとを含む請求項２１記載の方法。
【請求項２６】
周辺機器オーディオ提示システムの周辺機器通信コネクタと協働するシステム通信コネクタを含む分離型通信コネクタシステムを提供することをさらに含む請求項１７記載の方法。
【請求項２７】
乗り物に搭載するために適した情報システムにおいて、
上記情報システムは、
上記乗り物情報システムのための全体的なシステム制御機能を提供するヘッドエンドシステムを備え、上記ヘッドエンドシステムは、コンテンツソースと通信し、
上記情報システムは、
無線アクセスポイントと、
上記ヘッドエンドシステム及び上記無線アクセスポイントと通信する配信システムと、
パーソナルメディアデバイスとを備え、
上記パーソナルメディアデバイスは、
上記無線アクセスポイントを介する上記情報システムとの通信をサポートする無線通信ポートと、
上記コンテンツソースから利用可能な視聴コンテンツを選択し、上記選択された視聴コンテンツの提示を制御するユーザ制御システムと、
上記選択された視聴コンテンツを提示するコンテンツ提示システムとを備えたパーソナルメディアデバイスとを備え、
上記パーソナルメディアデバイスが上記無線アクセスポイントの所定の範囲内に配置されるとき、上記情報システムは、上記パーソナルメディアデバイスの認証を必要とせずに上記パーソナルメディアデバイスとの無線通信を確立し、かつ上記パーソナルメディアデバイスは、上記パーソナルメディアデバイスの認証を必要とせずに上記情報システムに統合され、かつ上記コンテンツ提示システムは、上記選択された視聴コンテンツを選択可能に提示し、かつ視聴コンテンツは、上記コンテンツソースから利用可能である情報システム。
【請求項２８】
上記コンテンツソースは、上記ヘッドエンドシステムに少なくとも部分的に組み込まれる請求項２７記載の情報システム。
【請求項２９】
上記ヘッドエンドシステムは、遠隔のコンテンツソースと通信する請求項２７記載の情報システム。
【請求項３０】
上記遠隔のコンテンツソースは、インターネットのコンテンツを、提示のために上記コンテンツ提示システムを介して、上記情報システムに提供する請求項２９記載の情報システム。
【請求項３１】
上記コンテンツ提示システムは、上記選択された視聴コンテンツのオーディオ部分を提示するオーディオ提示システムを含む請求項２７記載の情報システム。
【請求項３２】
上記コンテンツ提示システムは、上記選択された視聴コンテンツのビデオ部分を提示するビデオ提示システムを備える請求項２７記載の情報システム。
【請求項３３】
上記配信システムは、有線配信システムを備える請求項２７記載の情報システム。
【請求項３４】
上記ユーザ制御システム及び上記コンテンツ提示システムは、タッチスクリーン表示システムに少なくとも部分的に統合される請求項２７記載の情報システム。
【請求項３５】
上記コンテンツ提示システムは、上記パーソナルメディアデバイスのホームページを提示する請求項２７記載の情報システム。
【請求項３６】
上記パーソナルメディアデバイスと上記情報システムとが通信するとき、上記パーソナルメディアデバイスの上記ホームページは、上記情報システムによって提供されるホームページコンテンツに変更される請求項３５記載の情報システム。
【請求項３７】
上記ユーザ制御システムは、上記パーソナルメディアデバイスから利用可能なデバイス視聴コンテンツを選択し、かつ上記選択されたデバイス視聴コンテンツの提示を制御し、
上記コンテンツ提示システムは、上記選択されたデバイス視聴コンテンツを提示する請求項２７記載の情報システム。
【請求項３８】
上記情報システムは、航空機に搭載するために適した請求項２１記載の情報システム。
【請求項３９】
航空機において、
上記航空機は、
機体と、
上記機体の内部に設けられる複数の客席と、
乗り物情報システムとを備え、
上記乗り物情報システムは、上記機体に接続され、かつ
コンテンツソースと、
上記乗り物情報システムのための全体的なシステム制御機能を提供するヘッドエンドシステムと、
パーソナルメディアデバイスを上記ヘッドエンドシステムに接続する無線アクセスポイントと、
上記コンテンツソース、上記ヘッドエンドシステム、及び上記無線アクセスポイントと通信する配信システムとを備え、
上記航空機は、パーソナルメディアデバイスを備え、
上記パーソナルメディアデバイスは、
上記無線アクセスポイントを介する上記乗り物情報システムとの通信をサポートする無線通信ポートと、
上記コンテンツソースから利用可能な視聴コンテンツを選択し、かつ上記選択された視聴コンテンツの提示を制御するユーザ制御システムと、
上記選択された視聴コンテンツを提示するコンテンツ提示システムとを備え、
上記パーソナルメディアデバイスが上記無線アクセスポイントの所定の範囲内に配置されるとき、上記乗り物情報システムは、上記パーソナルメディアデバイスの認証を必要とせずに上記パーソナルメディアデバイスとの無線通信を確立し、かつ上記パーソナルメディアデバイスは、上記パーソナルメディアデバイスの認証を必要とせずに上記乗り物情報システムに統合され、かつ上記コンテンツ提示システムは、上記選択された視聴コンテンツを選択可能に提示し、かつ視聴コンテンツは、上記コンテンツソースから利用可能である航空機。
【請求項４０】
上記パーソナルメディアデバイスを格納する格納区画をさらに備え、
上記格納区画は、上記複数の客席のうちの１つに設けられる請求項３９記載の航空機。
【請求項４１】
上記格納区画は、上記選択された客席のアームレストに隣接して設けられる請求項４０記載の航空機。
【請求項４２】
上記格納区画は、隣接した客席のシートバック及びヘッドレストのうちの１つに設けられる請求項４０記載の航空機。
【請求項４３】
上記無線アクセスポイントは、上記選択された客席のアームレストに提供される請求項３９記載の航空機。
【請求項４４】
上記無線アクセスポイントは、隣接した客席のシートバック及びヘッドレストのうちの１つに設けられる請求項３９記載の航空機。